(57)【要約】      （修正有）【課題】リンク障害復旧方法および装置を提供する。【解決手段】プライマリ基地局により、ユーザ機器により送信された障害報告情報を受信するステップ１０１と、当該障害報告情報に従って、再構成が必要なＤＲＢの識別子を取得し、再構成が必要な当該ＤＲＢに関するパラメータを再構成するステップ１０２と、当該ユーザ機器が当該第１の再構成メッセージに従って故障ＤＲＢを再構成するように、当該プライマリ基地局により、第１の再構成メッセージを当該ユーザ機器に送信するステップ１０３とを含む。【選択図】図１
2018011335.tif 000002
【特許請求の範囲】
【請求項１】
プライマリ基地局により、ユーザ機器により送信された障害原因情報を受信するステップであって、前記障害原因情報は、無線リンク制御ＲＬＣアップリンク再送信の最大数に達したこと、ランダム・アクセス・プリアンブル再送信の最大数に達したこと、またはタイマＴ３１０が切れたことである、ステップと、
前記プライマリ基地局により、再構成が必要なＤＲＢに対するパラメータを前記障害原因情報に従って再構成するステップであって、再構成が必要な前記ＤＲＢは故障セカンダリ・サービング・セルと前記ユーザ機器の間の無線リンクで運搬され、前記故障セカンダリ・サービング・セルはセカンダリ基地局により制御される、ステップと、
前記プライマリ基地局により、第１の再構成メッセージを前記ユーザ機器に送信するステップであって、前記第１の再構成メッセージは再構成が必要な前記ＤＲＢに関して再構成された前記パラメータを含む、ステップと、
を含む、リンク障害復旧方法。
【請求項２】
前記プライマリ基地局により、再構成が必要な前記ＤＲＢに関するパラメータを前記障害原因情報に従って再構成するステップは、
前記障害原因情報がＲＬＣアップリンク再送信の最大数に達したことであるとき、前記プライマリ基地局により、再構成が必要な前記ＤＲＢに関するＲＬＣアップリンク再送信の最大数を再構成するステップと、
前記障害原因情報がランダム・アクセス・プリアンブル再送信の最大数に達したことであるとき、前記プライマリ基地局により、再構成が必要な前記ＤＲＢに関するランダム・アクセス・プリアンブル再送信の最大数を再構成するステップと、
前記障害原因情報が、タイマＴ３１０が切れたことであるとき、前記プライマリ基地局により、再構成が必要な前記ＤＲＢに対するタイマＴ３１０の期間を再構成するステップと、
のうち何れか１つを含む、
請求項１に記載のリンク障害復旧方法。
【請求項３】
プライマリ基地局により、前記ユーザ機器により送信された前記障害原因情報を受信する前に、前記プライマリ基地局により、障害検出構成メッセージを前記ユーザ機器に送信して、前記ユーザ機器が前記障害検出構成メッセージに従って前記障害原因情報の特定の値を決定するようにするステップをさらに含み、
前記障害検出構成メッセージは特に、ＲＬＣアップリンク再送信の最大数、ランダム・アクセス・プリアンブル再送信の最大数、およびタイマＴ３１０の期間のうち少なくとも１つを含む、
請求項１または２に記載のリンク障害復旧方法。
【請求項４】
前記プライマリ基地局により、第２の再構成メッセージを前記セカンダリ基地局に送信するステップであって、前記第２の再構成メッセージは前記ユーザ機器の識別子を含み、前記ユーザ機器の前記識別子に従って、前記ユーザ機器にサービス提供するリソースを解放するように前記セカンダリ基地局に指示する、ステップをさらに含む、請求項１乃至３の何れか１項に記載のリンク障害復旧方法。
【請求項５】
ユーザ機器により、障害原因情報をプライマリ基地局に送信して、前記プライマリ基地局が前記障害原因情報に従って、再構成が必要なＤＲＢに対するパラメータを再構成するようにするステップであって、再構成が必要な前記ＤＲＢは故障セカンダリ・サービング・セルと前記ユーザ機器の間の無線リンクで運搬され、前記故障セカンダリ・サービング・セルはセカンダリ基地局により制御され、前記障害原因情報は、無線リンク制御ＲＬＣアップリンク再送信の最大数に達したこと、ランダム・アクセス・プリアンブル再送信の最大数に達したこと、またはタイマＴ３１０が切れたことである、ステップと、
前記ユーザ機器により、前記プライマリ基地局により送信された再構成メッセージを受信するステップであって、前記再構成メッセージは前記ＤＲＢに関して再構成された前記パラメータを含む、ステップと、
前記ユーザ機器により、前記再構成メッセージに従って、再構成が必要な前記ＤＲＢを再構成するステップと、
を含む、リンク障害復旧方法。
【請求項６】
ユーザ機器により、障害原因情報をプライマリ基地局に送信する前に、
前記ユーザ機器により、前記プライマリ基地局により送信された障害検出構成メッセージを受信するステップであって、前記障害検出構成メッセージは特に、無線リンク制御（ＲＬＣ）アップリンク再送信の最大数、ランダム・アクセス・プリアンブル再送信の最大数、およびタイマＴ３１０の期間のうち少なくとも１つを含む、ステップと、
前記ユーザ機器により、前記障害検出構成メッセージに従って、前記障害原因情報の特定の値を決定するステップと、
をさらに含む、請求項５に記載のリンク障害復旧方法。
【請求項７】
ユーザ機器により送信された障害原因情報を受信するように構成された受信ユニットであって、前記障害原因情報は、無線リンク制御ＲＬＣアップリンク再送信の最大数に達したこと、ランダム・アクセス・プリアンブル再送信の最大数に達したこと、またはタイマＴ３１０が切れたことである、受信ユニットと、
再構成が必要なＤＲＢに対するパラメータを前記障害原因情報に従って再構成するように構成された構成ユニットであって、再構成が必要な前記ＤＲＢは故障セカンダリ・サービング・セルと前記ユーザ機器の間の無線リンクで運搬され、前記故障セカンダリ・サービング・セルはセカンダリ基地局により制御される、構成ユニットと、
第１の再構成メッセージを前記ユーザ機器に送信するように構成された送信ユニットであって、前記第１の再構成メッセージは再構成が必要な前記ＤＲＢに関して再構成された前記パラメータを含む、送信ユニットと、
を備える、リンク障害復旧装置。
【請求項８】
前記送信ユニットはさらに、障害検出構成メッセージを前記ユーザ機器に送信するように構成され、前記障害検出構成メッセージに従って、前記障害原因情報の特定の値を決定するように前記ユーザ機器に指示し、
前記障害検出構成メッセージは特に、無線リンク制御（ＲＬＣ）アップリンク再送信の最大数、ランダム・アクセス・プリアンブル再送信の最大数、およびタイマＴ３１０の期間のうち少なくとも１つを含む、
請求項７に記載のリンク障害復旧装置。
【請求項９】
前記構成ユニットは特に、前記障害原因情報がＲＬＣアップリンク再送信の最大数に達したことであるとき、再構成が必要な前記ＤＲＢに関するＲＬＣアップリンク再送信の最大数を再構成するように構成されるか、または、
前記構成ユニットは特に、前記障害原因情報がランダム・アクセス・プリアンブル再送信の最大数に達したことであるとき、再構成が必要な前記ＤＲＢに対するプリアンブル再送信の最大数を再構成するようにさらに構成されるか、または、
前記構成ユニットは特に、前記障害原因情報が、タイマＴ３１０が切れたことであるとき、再構成が必要な前記ＤＲＢに対するタイマＴ３１０の期間を再構成するようにさらに構成される、
請求項７または８に記載のリンク障害復旧装置。
【請求項１０】
前記送信ユニットはさらに、第２の再構成メッセージを前記セカンダリ基地局に送信するように構成され、前記第２の再構成メッセージは前記ユーザ機器の識別子を含み、前記ユーザ機器の前記識別子に従って、前記ユーザ機器にサービス提供するリソースを解放するように前記セカンダリ基地局に指示する、請求項７乃至９の何れか１項に記載のリンク障害復旧装置。
【請求項１１】
障害原因情報をプライマリ基地局に送信し、再構成が必要なＤＲＢに関するパラメータを前記障害原因情報に従って再構成するように前記プライマリ基地局に指示するように構成された送信ユニットであって、再構成が必要な前記ＤＲＢは故障セカンダリ・サービング・セルとユーザ機器の間の無線リンクで運搬され、前記故障セカンダリ・サービング・セルはセカンダリ基地局により制御され、前記障害原因情報は、無線リンク制御ＲＬＣアップリンク再送信の最大数に達したこと、ランダム・アクセス・プリアンブル再送信の最大数に達したこと、またはタイマＴ３１０が切れたことである、送信ユニットと、
前記プライマリ基地局により送信された再構成メッセージを受信するように構成された受信ユニットであって、前記再構成メッセージは再構成が必要な前記ＤＲＢの識別子および再構成が必要な前記ＤＲＢに関して再構成された前記パラメータを含む、受信ユニットと、
前記再構成メッセージに従って、再構成が必要な前記ＤＲＢを再構成するように構成された構成ユニットと、
を備える、リンク障害復旧装置。
【請求項１２】
前記受信ユニットはさらに、前記プライマリ基地局により送信された障害検出構成メッセージを受信するように構成され、前記障害検出構成メッセージは特に、無線リンク制御（ＲＬＣ）アップリンク再送信の最大数、ランダム・アクセス・プリアンブル再送信の最大数、およびタイマＴ３１０の期間のうち少なくとも１つを含み、
前記送信ユニットはさらに、前記障害検出構成メッセージに従って、前記障害原因情報の特定の値を決定するように構成される、
請求項１１に記載のリンク障害復旧装置。
【請求項１３】
プライマリ基地局内のプロセッサに請求項１乃至１２の何れか１項に記載の各ステップを実行させる、プログラム。
【請求項１４】
ユーザ機器内のプロセッサに請求項５または６に記載の各ステップを実行させる、プログラム。
【請求項１５】
請求項７乃至１０の何れか１項に記載のリンク障害復旧装置と請求項１１または１２に記載のリンク障害復旧装置とを備える、システム。
【発明の詳細な説明】
【技術分野】
【０００１】
本発明は、通信システムの分野に関し、特にリンク障害復旧方法および装置に関する。
【背景技術】
【０００２】
ある種のネットワーク・デプロイメントが次世代無線ネットワークに導入されている。この種のデプロイメントでは、１つの基地局が２つの異なるセルにサービスを提供し、ユーザ機器が基地局によりサービスされる当該２つの異なるセルへの接続を同時に維持することができる。ユーザ機器への接続を同時に保２つのセルのうち、１つはプライマリ・サービング・セルであり、もう１つはセカンダリ・サービング・セルである。
【０００３】
先行技術では、ユーザ機器とプライマリ・サービング・セルの間の接続で無線リンク障害が生じたことをユーザ機器が検出した後、再確立プロセスを用いることで当該接続を無線リンク障害から復旧することができる。当該プロセスでは、ユーザ機器と基地局の間の信号送信無線ベアラ（Ｓｉｇｎａｌｉｎｇ  Ｒａｄｉｏ  Ｂｅａｒｅｒ、ＳＲＢ）が再確立され、ユーザ機器と基地局の間のセキュリティが再びアクティベート（ｒｅａｃｔｉｖａｔｅ）される。新しいタイプのネットワーク・デプロイメントでは、プライマリ・サービング・セルとセカンダリ・サービング・セルが異なる基地局に属することがある。プライマリ・サービング・セルが属する基地局はプライマリ基地局と呼ばれることがあり、セカンダリ・サービング・セルが属する基地局はセカンダリ基地局と呼ばれることがある。無線リンク障害がユーザ機器とセカンダリ基地局の間の接続で生じたことをユーザ機器が検出したとき、先行技術では、ユーザ機器とプライマリ基地局の間の信号送信無線ベアラが依然として再確立され、ユーザ機器とプライマリ基地局の間のセキュリティが再びアクティベートされる。
【発明の概要】
【発明が解決しようとする課題】
【０００４】
しかし、この時点でユーザ機器とプライマリ基地局の間に無線リンク障害が生じている可能性は低い。この場合、端末とプライマリ基地局の間の信号送信無線ベアラを再確立する必要はなく、ユーザ機器とプライマリ基地局の間のセキュリティを再びアクティベートする必要もない。結果として、ユーザ機器とプライマリ基地局の間の不要な情報のやり取りが増え、ネットワーク・リソースが無駄になる。
【課題を解決するための手段】
【０００５】
本発明では、リンク障害復旧方法および装置を提供する。これらにより、ユーザ機器とプライマリ基地局の間の不要な情報のやり取りが回避され、ネットワーク・リソースの利用効率が高まる。
【０００６】
本発明の諸実施形態で使用する技術的解決策は以下の通りである。
【０００７】
本発明の第１の態様では、プライマリ基地局により、ユーザ機器により送信された障害報告情報を受信するステップであって、当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬されるステップと、当該障害報告情報に従ってプライマリ基地局により、再構成が必要なＤＲＢの識別子を取得し、再構成が必要なＤＲＢに関するパラメータを再構成するステップと、プライマリ基地局により、第１の再構成メッセージをユーザ機器に送信するステップであって、当該第１の再構成メッセージは再構成が必要なＤＲＢの識別子および再構成が必要な当該ＤＲＢに対して再構成されたパラメータを含むステップとを含むリンク障害復旧方法を提供する。
【０００８】
本発明の第２の態様では、プライマリ基地局により、セカンダリ基地局により送信された障害報告情報を受信するステップであって、当該障害報告情報は故障ユーザ機器の識別子、または故障ユーザ機器の識別子および故障セカンダリ・サービング・セルの識別子、または故障ユーザ機器の識別子および故障無線アクセス・ベアラＥ−ＲＡＢの識別子を含むステップと、当該障害報告情報に従ってプライマリ基地局により、再構成が必要なデータ無線ベアラＤＲＢの識別子を取得し、再構成が必要なＤＲＢに関するパラメータを再構成するステップと、プライマリ基地局により第１の再構成メッセージをユーザ機器に送信して、再構成が必要なＤＲＢをユーザ機器が当該第１の再構成メッセージに従って再構成するようにするステップであって、当該第１の再構成メッセージは再構成が必要なＤＲＢの識別子および当該ＤＲＢに対して再構成されたパラメータを含むステップとを含むリンク障害復旧方法を提供する。
【０００９】
本発明の第３の態様では、ユーザ機器により、障害報告情報をプライマリ基地局に送信して、プライマリ基地局が、当該障害報告情報に従って、再構成が必要なＤＲＢの識別子を取得し、再構成が必要なＤＲＢに関するパラメータを再構成するようにするステップであって、当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬されるステップと、ユーザ機器により、プライマリ基地局により送信された再構成メッセージを受信するステップであって、当該再構成メッセージは再構成が必要なＤＲＢの識別子および当該ＤＲＢに対して再構成されたパラメータを含むステップ
と、ユーザ機器により当該再構成メッセージに従って、再構成が必要なＤＲＢを再構成するステップとを含むリンク障害復旧方法を提供する。
【００１０】
本発明の第４の態様では、セカンダリ基地局により、障害報告情報をプライマリ基地局に送信して、プライマリ基地局が、当該障害報告情報に従って、再構成が必要なＤＲＢの識別子を取得し、再構成が必要なＤＲＢに関するパラメータを再構成するようにするステップであって、当該障害報告情報は、故障ユーザ機器の識別子、または故障ユーザ機器の識別子および故障セカンダリ・サービング・セルの識別子、または故障ユーザ機器の識別子および故障Ｅ−ＲＡＢの識別子であるステップを含むリンク障害復旧方法を提供する。
【００１１】
本発明の第５の態様では、ユーザ機器により送信された障害報告情報を受信するように構成された受信ユニットであって、当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される受信ユニットと、当該障害報告情報に従って、再構成が必要なＤＲＢの識別子を取得するように構成された取得ユニットと、再構成が必要なＤＲＢに関するパラメータを再構成するように構成された構成ユニットと、第１の再構成メッセージをユーザ機器に送信するように構成された送信ユニットであって、当該第１の再構成メッセージは再構成が必要なＤＲＢの識別子および再構成が必要な当該ＤＲＢに対して再構成されたパラメータを含む送信ユニットとを備えるリンク障害復旧装置を提供する。
【００１２】
本発明の第６の態様では、セカンダリ基地局により送信された障害報告情報を受信するように構成された受信ユニットであって、当該障害報告情報は故障ユーザ機器の識別子を含む受信ユニットと、当該障害報告情報に従って、再構成が必要なデータ無線ベアラＤＲＢの識別子、または故障ユーザ機器の識別子および故障セカンダリ・サービング・セルの識別子、または故障ユーザ機器の識別子および故障無線アクセス・ベアラＥ−ＲＡＢの識別子を取得するように構成された取得ユニットと、再構成が必要なＤＲＢに関するパラメータを再構成するように構成された構成ユニットと、第１の再構成メッセージをユーザ機器に送信するように構成された送信ユニットであって、当該第１の再構成メッセージは再構成が必要なＤＲＢの識別子および当該ＤＲＢに対して再構成されたパラメータを含む送信ユニットとを備えるリンク障害復旧装置を提供する。
【００１３】
本発明の第７の態様では、障害報告情報をプライマリ基地局に送信して、プライマリ基地局が、当該障害報告情報に従って、再構成が必要なＤＲＢの識別子を取得し、再構成が必要なＤＲＢに関するパラメータを再構成するようにするように構成された送信ユニットであって、当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される送信ユニットと、プライマリ基地局により送信された再構成メッセージを受信するように構成された受信ユニットであって、当該再構成メッセージは再構成が必要なＤＲＢの識別子および当該ＤＲＢに対して再構成されたパラメータを含む受信ユニットと、当該再構成メッセージに従って、再構成が必要なＤＲＢを再構成するように構成された構成ユニットとを備えるリンク障害復旧装置を提供する。
【００１４】
本発明の第８の態様では、障害報告情報をプライマリ基地局に送信して、プライマリ基地局が、当該障害報告情報に従って、再構成が必要なＤＲＢの識別子を取得し、再構成が必要なＤＲＢに関するパラメータを再構成するようにするように構成された送信ユニットであって、当該障害報告情報は、故障ユーザ機器の識別子、または故障ユーザ機器の識別子および故障セカンダリ・サービング・セルの識別子、または故障ユーザ機器の識別子および故障Ｅ−ＲＡＢの識別子である送信ユニットを備えるリンク障害復旧装置を提供する。
【００１５】
本発明の諸実施形態で提供するリンク障害復旧方法および装置では、プライマリ基地局が先ずユーザ機器により送信された障害報告情報を受信し、当該障害報告情報に従って、再構成が必要なＤＲＢの識別子を取得し、再構成が必要なＤＲＢに関するパラメータを再構成する。次に、プライマリ基地局が第１の再構成メッセージをユーザ機器に送信して、ユーザ機器が当該第１の再構成メッセージに従って故障ＤＲＢを再構成するようにする。現在、ユーザ機器とセカンダリ基地局の間の接続で無線リンク障害が発生したことをユーザ機器が検出したとき、ユーザ機器とプライマリ基地局の間の信号送信無線ベアラが依然として再確立され、ユーザ機器とプライマリ基地局の間のセキュリティが再びアクティベートされる。しかし、この時点でユーザ機器とプライマリ基地局の間に無線リンク障害が生じている可能性は低い。結果として、ユーザ機器とプライマリ基地局の間の不要な情報のやり取りが増え、ネットワーク・リソースが無駄になる。本発明の諸実施形態で提供した方法と装置では、ユーザ機器とプライマリ基地局の間の信号送信無線ベアラを再確立する必要はなく、ユーザ機器とプライマリ基地局の間のセキュリティを再びアクティベートする必要はなく、ユーザ機器とプライマリ基地局の間の不要な情報のやり取りが回避され、ネットワーク・リソースの利用効率が高まる。さらに、本発明の諸実施形態で提供した方法と装置によりプライマリ基地局は障害原因をより正確に特定することができ、それによりリンク障害の復旧がより低コストで実現される。
【００１６】
本発明の諸実施形態の技術的解決策をより明確に説明するために、以下では諸実施形態または先行技術を説明するのに必要な添付図面を簡単に説明する。明らかに、以下の説明における添付図面は本発明の幾つかの諸実施形態を示すにすぎず、当業者は創造的作業なしにこれらの添付図面から他の図面を導出することができる。
【図面の簡単な説明】
【００１７】
【図１】本発明の１実施形態に従うリンク障害復旧方法の流れ図である。
【図２】本発明の１実施形態に従う別のリンク障害復旧方法の流れ図である。
【図３】本発明の１実施形態に従うさらに別のリンク障害復旧方法の流れ図である。
【図４】本発明の１実施形態に従うさらに別のリンク障害復旧方法の流れ図である。
【図５】本発明の１実施形態に従うリンク障害復旧装置の略構造図である。
【図６】本発明の１実施形態に従う基地局の略構造図である。
【図７】本発明の１実施形態に従う別のリンク障害復旧装置の略構造図である。
【図８】本発明の１実施形態に従う別の基地局の略構造図である。
【図９】本発明の１実施形態に従うさらに別のリンク障害復旧装置の略構造図である。
【図１０】本発明の１実施形態に従うユーザ機器の略構造図である。
【図１１】本発明の１実施形態に従うさらに別のリンク障害復旧装置の略構造図である。
【図１２】本発明の１実施形態に従うさらに別の基地局の略構造図である。
【発明を実施するための形態】
【００１８】
以下では、本発明の諸実施形態における添付図面を参照して、本発明の諸実施形態における技術的解決策を明確かつ十分に説明する。明らかに、説明する諸実施形態は本発明の諸実施形態の全部ではなく一部にすぎない。当業者が創造的作業なしに本発明の諸実施形態に基づいて取得する他の全ての諸実施形態は本発明の保護範囲に入るものとする。
【００１９】
本発明の技術的解決策の利点をより明確にするために、以下では添付図面と諸実施形態を参照して本発明を詳細に説明する。
【００２０】
本発明の１実施形態ではリンク障害復旧方法を提供する。図１に示すように、当該方法は以下を含む。
【００２１】
１０１で、プライマリ基地局がユーザ機器により送信された障害報告情報を受信する。
【００２２】
当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される。
【００２３】
場合によっては、プライマリ基地局がユーザ機器により送信された障害原因情報を受信する。当該障害原因情報は、ＲＬＣアップリンク再送信の最大回数に達したこと、またはランダム・アクセス・プリアンブル再送信の最大回数に達したこと、またはタイマＴ３１０が切れたことである。
【００２４】
場合によっては、ステップ１０１の前またはプライマリ基地局がユーザ機器により送信された障害原因情報を受信する前に、当該方法がさらに、プライマリ基地局により、障害検出構成メッセージをユーザ機器に送信して、ユーザ機器が、当該障害検出構成メッセージに従って、故障セカンダリ・サービング・セルの識別子または故障ＤＲＢの識別子または障害原因メッセージの特定の値を決定するようにするステップを含んでもよい。当該メッセージが特に、ＲＬＣアップリンク再送信の最大回数、ランダム・アクセス・プリアンブル再送信の最大回数、およびタイマＴ３１０の期間のうち１つまたは複数を含んでもよい。
【００２５】
特に、ユーザ機器とセカンダリ・サービング・セルの間の無線リンクで運搬されるＤＲＢに対してＲＬＣアップリンク再送信の最大回数に達したとき、ユーザ機器が、セカンダリ・サービング・セルの識別子が故障セカンダリ・サービング・セルの識別子であると判定するか、または、ユーザ機器が、当該ＤＲＢの識別子が故障ＤＲＢの識別子であると判定する。ランダム・アクセス・プリアンブル再送信の最大回数に到達したか、またはユーザ機器に対するセカンダリ・サービング・セルでタイマＴ３１０の当該期間に達したとき、ユーザ機器が、セカンダリ・サービング・セルの識別子が故障セカンダリ・サービング・セルの識別子であると判定するか、または、ユーザ機器が、ユーザ機器とセカンダリ・サービング・セルの間の無線リンクで運搬されるＤＲＢの識別子が故障ＤＲＢの識別子であると判定する。
【００２６】
１０２で、プライマリ基地局が、当該障害報告情報に従って、再構成が必要なＤＲＢの識別子を取得し、再構成が必要なＤＲＢに関するパラメータを再構成する。
【００２７】
特に、当該障害報告情報が故障セカンダリ・サービング・セルの識別子であるとき、プライマリ基地局により取得され再構成が必要なＤＲＢのものである識別子は、故障セカンダリ・サービング・セルとユーザ機器の間の無線リンクで運搬されるＤＲＢの識別子である。当該障害報告情報が故障ＤＲＢの識別子であるとき、プライマリ基地局により取得され再構成が必要なＤＲＢのものである識別子は故障ＤＲＢの識別子である。
【００２８】
場合によっては、プライマリ基地局が、当該障害報告情報に従って、削除する必要があるセカンダリ・サービング・セルの識別子または削除する必要がある無線アクセス・ベアラＥ−ＲＡＢの識別子を取得する。当該Ｅ−ＲＡＢは当該ＤＲＢと１対１に対応する。
【００２９】
特に、当該障害報告情報が故障セカンダリ・サービング・セルの識別子であるとき、プライマリ基地局により取得され削除する必要があるセカンダリ・サービング・セルのものである識別子は故障セカンダリ・サービング・セルの識別子であり、削除する必要がある無線アクセス・ベアラＥ−ＲＡＢの取得された識別子は、故障セカンダリ・サービング・セルとユーザ機器の間の無線リンクで運搬されるＤＲＢに対応するＥ−ＲＡＢの識別子である。当該障害報告情報が故障データ無線ベアラＤＲＢの識別子であるとき、プライマリ基地局により取得され削除する必要があるセカンダリ・サービング・セルのものである識別子は故障ＤＲＢを運搬するセカンダリ・サービング・セルの識別子であり、削除する必要がある無線アクセス・ベアラＥ−ＲＡＢの取得された識別子は故障ＤＲＢに対応するＥ−ＲＡＢの識別子である。
【００３０】
場合によっては、当該障害原因情報がＲＬＣアップリンク再送信の最大回数に達したことであるとき、プライマリ基地局が、当該ＤＲＢに対するＲＬＣアップリンク再送信の最大回数を再構成する。当該障害原因情報がランダム・アクセス・プリアンブル再送信の最大回数に達したことであるとき、プライマリ基地局が、当該ＤＲＢに対するプリアンブル送信の最大数を再構成する。当該障害原因情報が、タイマＴ３１０が切れたことであるとき、プライマリ基地局が、当該ＤＲＢに対するタイマＴ３１０の当該期間を再構成する。
【００３１】
１０３で、プライマリ基地局が第１の再構成メッセージをユーザ機器に送信する。当該第１の再構成メッセージは再構成が必要なＤＲＢの識別子および当該ＤＲＢに対して再構成されたパラメータを含む。その結果、再構成が必要なＤＲＢをユーザ機器が当該第１の再構成メッセージに従って再構成する。
【００３２】
場合によっては、当該第１の再構成メッセージがさらに、削除する必要があるセカンダリ・サービング・セルの識別子に従って、削除する必要があるセカンダリ・サービング・セルをユーザ機器が解放するように、削除する必要があるセカンダリ・サービング・セルの識別子を含んでもよい。
【００３３】
１０４で、場合によっては、プライマリ基地局が、第２の再構成メッセージをセカンダリ基地局に送信して、ユーザ機器にサービス提供するリソースをセカンダリ基地局がユーザ機器の識別子に従って解放するようにする。当該第２の再構成メッセージはユーザ機器の識別子を含む。
【００３４】
場合によっては、当該第２の再構成メッセージがさらに、当該第２の再構成メッセージに従って、削除する必要があるセカンダリ・サービング・セルまたは削除する必要があるＥ−ＲＡＢをセカンダリ基地局が解放するように、削除する必要があるセカンダリ・サービング・セルの識別子または削除する必要があるＥ−ＲＡＢの識別子を含んでもよい。
【００３５】
当該実施形態で提供するリンク障害復旧方法では、ユーザ機器とプライマリ基地局の間の信号送信無線ベアラを再確立する必要はなく、ユーザ機器とプライマリ基地局の間のセキュリティを再びアクティベートする必要はなく、ユーザ機器とプライマリ基地局の間の不要な情報のやり取りが回避され、ネットワーク・リソースの利用効率が高まる。
【００３６】
本発明の１実施形態では別のリンク障害復旧方法を提供する。図２に示すように、当該方法は以下を含む。
【００３７】
２０１で、プライマリ基地局が、セカンダリ基地局により送信された障害報告情報を受信する。当該障害報告情報は故障ユーザ機器の識別子を含む。場合によっては、当該障害報告情報がさらに故障セカンダリ・サービング・セルの識別子または故障無線アクセス・ベアラＥ−ＲＡＢの識別子を含んでもよい。
【００３８】
場合によっては、ステップ２０１の前に、当該方法がさらに、プライマリ基地局により、障害検出構成メッセージをセカンダリ基地局に送信するステップを含んでもよい。当該メッセージが特に、ＲＬＣダウンリンク再送信の最大回数、専用ランダム・アクセス・リソースを割り当てるための物理ダウンリンク制御チャネル（ＰＤＣＣＨ、Ｐｈｙｓｉｃａｌ  Ｄｏｗｎｌｉｎｋ  Ｃｈａｎｎｅｌ）オーダの再送信の最大回数、ランダム・アクセス要求の受信の最大試行回数、およびアップリンク・データのブロックエラー率（ＢＬＥＲ、Ｂｌｏｃｋ  Ｅｒｒｏｒ  Ｒａｔｅ）またはビットエラー率（ＢＬＥＲ、Ｂｉｔ  Ｅｒｒｏｒ  Ｒａｔｅ）の閾値のうち１つまたは複数を含んでもよい。その結果、セカンダリ基地局は、当該障害検出構成メッセージに従って、故障ユーザ機器の識別子、および故障セカンダリ・サービング・セルの識別子または故障Ｅ−ＲＡＢの識別子を決定する。
【００３９】
特に、セカンダリ基地局により運搬されるＤＲＢに関してＲＬＣダウンリンク再送信の最大回数に到達したとき、またはアップリンク・データのＢＬＥＲもしくはＢＥＲの閾値に到達したときとき、当該ＤＲＢが属するユーザ機器の識別子が故障ユーザ機器の識別子であるとセカンダリ基地局が判定し、当該ＤＲＢを運搬するセカンダリ・サービング・セルの識別子が故障セカンダリ・サービング・セルの識別子であるとセカンダリ基地局が判定するか、または、当該ＤＲＢに対応するＥ−ＲＡＢの識別子が故障Ｅ−ＲＡＢの識別子であるとセカンダリ基地局が判定する。専用ランダム・アクセス・リソースを割り当てるために使用されセカンダリ基地局がユーザ機器に送信したＰＤＣＣＨオーダに対する再送信の最大回数に到達したとき、または、ユーザ機器が送信したランダム・アクセス要求の受信の最大試行回数に到達したとき、セカンダリ基地局が、ユーザ機器の識別子が故障ユーザ機器の識別子であると判定し、セカンダリ基地局が、当該ＰＤＣＣＨオーダを送信したかまたは当該ランダム・アクセス要求を受信したセカンダリ・サービング・セルの識別子が故障セカンダリ・サービング・セルの識別子であると判定するか、または、セカンダリ基地局が、故障ユーザ機器と故障セカンダリ・サービング・セルの間の無線リンクで運搬されるＤＲＢに対応するＥ−ＲＡＢの識別子が故障Ｅ−ＲＡＢの識別子であると判定する。
【００４０】
２０２で、プライマリ基地局が、当該障害報告情報に従って、再構成が必要なデータ無線ベアラＤＲＢの識別子を取得し、再構成が必要なＤＲＢに関するパラメータを再構成する。
【００４１】
特に、当該障害報告情報が故障ユーザ機器の識別子であるとき、プライマリ基地局により取得され再構成が必要なデータ無線ベアラＤＲＢのものである識別子は、故障ユーザ機器とセカンダリ基地局の間の無線リンクで運搬されるＤＲＢの識別子である。当該障害報告情報が故障ユーザ機器の識別子および故障セカンダリ・サービング・セルの識別子であるとき、プライマリ基地局により取得され再構成が必要なデータ無線ベアラＤＲＢのものである識別子は、故障ユーザ機器と故障セカンダリ・サービング・セルの間の無線リンクで運搬されるＤＲＢの識別子である。当該障害報告情報が故障ユーザ機器の識別子および故障無線アクセス・ベアラＥ−ＲＡＢの識別子であるとき、プライマリ基地局により取得され再構成が必要なデータ無線ベアラＤＲＢのものである識別子は、故障無線アクセス・ベアラＥ−ＲＡＢに対応するＤＲＢの識別子である。
【００４２】
場合によっては、プライマリ基地局が、当該障害報告情報に従って、削除する必要があるセカンダリ・サービング・セルの識別子または削除する必要がある無線アクセス・ベアラＥ−ＲＡＢの識別子を取得する。当該Ｅ−ＲＡＢは当該ＤＲＢと１対１に対応する。
【００４３】
特に、当該障害報告情報が故障ユーザ機器の識別子であるとき、プライマリ基地局により取得され削除する必要があるセカンダリ・サービング・セルのものである識別子は、故障ユーザ機器にサービスを提供するセカンダリ・サービング・セルの識別子であり、削除する必要がある無線アクセス・ベアラＥ−ＲＡＢの識別子は、セカンダリ基地局と故障ユーザ機器の間の無線リンクで運搬されるＤＲＢに対応するＥ−ＲＡＢの識別子である。当該障害報告情報が故障ユーザ機器の識別子および故障セカンダリ・サービング・セルの識別子であるとき、プライマリ基地局により取得され削除する必要があるセカンダリ・サービング・セルのものである識別子は故障セカンダリ・サービング・セルの識別子であり、削除する必要がある無線アクセス・ベアラＥ−ＲＡＢの識別子は、故障ユーザ機器と故障セカンダリ・サービング・セルの間の無線リンクで運搬されるＤＲＢに対応するＥ−ＲＡＢの識別子である。当該障害報告情報が故障ユーザ機器の識別子および故障無線アクセス・ベアラＥ−ＲＡＢの識別子であるとき、プライマリ基地局により取得され削除する必要があるセカンダリ・サービング・セルのものである識別子は、故障無線アクセス・ベアラＥ−ＲＡＢを運搬するセカンダリ・サービング・セルの識別子であり、削除する必要がある無線アクセス・ベアラＥ−ＲＡＢの識別子は故障無線アクセス・ベアラＥ−ＲＡＢの識別子である。
【００４４】
２０３で、プライマリ基地局が第１の再構成メッセージをユーザ機器に送信する。当該第１の再構成メッセージは、再構成が必要なＤＲＢの識別子および当該ＤＲＢに対して再構成されたパラメータを含む。その結果、再構成が必要なＤＲＢをユーザ機器が当該第１の再構成メッセージに従って再構成する。
【００４５】
場合によっては、当該第１の再構成メッセージがさらに、削除する必要があるセカンダリ・サービング・セルの識別子に従って、削除する必要があるセカンダリ・サービング・セルをユーザ機器が解放するように、削除する必要があるセカンダリ・サービング・セルの識別子を含んでもよい。
【００４６】
２０４で、場合によっては、プライマリ基地局が第２の再構成メッセージをセカンダリ基地局に送信する。当該第２の再構成メッセージは故障ユーザ機器の識別子を含む。その結果、セカンダリ基地局が、当該第２の再構成メッセージに従って、故障ユーザ機器にサービス提供するリソースを解放する。
【００４７】
場合によっては、当該第２の再構成メッセージはさらに、削除する必要があるセカンダリ・サービング・セルの識別子または削除する必要があるＥ−ＲＡＢの識別子を含む。その結果、当該第２の再構成メッセージに従って、削除する必要があるセカンダリ・サービング・セルまたは削除する必要があるＥ−ＲＡＢをセカンダリ基地局が解放する。
【００４８】
当該実施形態で提供する別のリンク障害復旧方法では、ユーザ機器とプライマリ基地局の間の信号送信無線ベアラを再確立する必要はなく、ユーザ機器とプライマリ基地局の間のセキュリティを再びアクティベートする必要はなく、ユーザ機器とプライマリ基地局の間の不要な情報のやり取りが回避され、ネットワーク・リソースの利用効率が高まる。
【００４９】
本発明の１実施形態ではさらに別のリンク障害復旧方法を提供する。図３に示すように、当該方法は以下を含む。
【００５０】
３０１で、ユーザ機器が障害報告情報をプライマリ基地局に送信する。当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される。その結果、プライマリ基地局が、当該障害報告情報に従って、再構成が必要なＤＲＢの識別子を取得し、再構成が必要なＤＲＢに関するパラメータを再構成する。
【００５１】
場合によっては、ユーザ機器が障害原因情報をプライマリ基地局に送信する。当該障害原因情報は、ＲＬＣアップリンク再送信の最大回数に達したこと、またはランダム・アクセス・プリアンブル再送信の最大回数に達したこと、またはタイマＴ３１０が切れたことである。その結果、プライマリ基地局が、当該障害原因情報に従って、再構成が必要なＤＲＢに関するパラメータを再構成する。
【００５２】
場合によっては、ステップ３０１の前またはユーザ機器が当該障害原因情報をプライマリ基地局に送信する前に、当該方法がさらに、ユーザ機器により、プライマリ基地局により送信された障害検出構成メッセージを受信するステップと、ユーザ機器により当該障害検出構成メッセージに従って、故障セカンダリ・サービング・セルの識別子または故障ＤＲＢの識別子または当該障害原因の特定の値を決定するステップとを含んでもよい。当該メッセージは特に、ＲＬＣアップリンク再送信の最大回数、ランダム・アクセス・プリアンブル再送信の最大回数、およびタイマＴ３１０の期間のうち１つまたは複数を含んでもよい。
【００５３】
特に、ユーザ機器とセカンダリ・サービング・セルの間の無線リンクで運搬されるＤＲＢに対してＲＬＣアップリンク再送信の最大回数に達したとき、セカンダリ・サービング・セルの識別子が故障セカンダリ・サービング・セルの識別子であるとユーザ機器が判定するか、または、当該ＤＲＢの識別子が故障ＤＲＢの識別子であるとユーザ機器が判定する。ユーザ機器に対するセカンダリ・サービング・セルでランダム・アクセス・プリアンブル再送信の最大回数またはタイマＴ３１０の当該期間に達したとき、ユーザ機器が、セカンダリ・サービング・セルの識別子が故障セカンダリ・サービング・セルの識別子であると判定するか、または、ユーザ機器が、ユーザ機器とセカンダリ・サービング・セルの間の無線リンクで運搬されるＤＲＢの識別子が故障ＤＲＢの識別子であると判定する。
【００５４】
３０２で、ユーザ機器が、プライマリ基地局により送信された再構成メッセージを受信する。当該再構成メッセージは再構成が必要なＤＲＢの識別子および当該ＤＲＢに対して再構成されたパラメータを含む。その結果、ユーザ機器が当該再構成メッセージに従って、再構成が必要なＤＲＢを再構成する。
【００５５】
特に、当該障害報告情報が故障セカンダリ・サービング・セルの識別子であるとき、再構成が必要なＤＲＢの識別子は、故障セカンダリ・サービング・セルとユーザ機器の間の無線リンクで運搬されるＤＲＢの識別子である。当該障害報告情報が故障ＤＲＢの識別子であるとき、再構成が必要なＤＲＢの識別子は故障ＤＲＢの識別子である。
【００５６】
場合によっては、当該再構成メッセージがさらに、削除する必要があるセカンダリ・サービング・セルの識別子を含んでもよい。
【００５７】
特に、当該障害報告情報が故障セカンダリ・サービング・セルの識別子であるとき、削除する必要があるセカンダリ・サービング・セルの識別子は故障セカンダリ・サービング・セルの識別子である。当該障害報告情報が故障データ無線ベアラＤＲＢの識別子であるとき、削除する必要があるセカンダリ・サービング・セルの識別子は故障ＤＲＢを運搬するセカンダリ・サービング・セルの識別子である。
【００５８】
３０３で、ユーザ機器が当該再構成メッセージに従って、再構成が必要なＤＲＢを再構成する。場合によっては、削除する必要があるセカンダリ・サービング・セルの識別子に従って、削除する必要があるセカンダリ・サービング・セルをユーザ機器が解放する。
【００５９】
当該実施形態で提供するさらに別のリンク障害復旧方法では、ユーザ機器とプライマリ基地局の間の信号送信無線ベアラを再確立する必要はなく、ユーザ機器とプライマリ基地局の間のセキュリティを再びアクティベートする必要はなく、ユーザ機器とプライマリ基地局の間の不要な情報のやり取りが回避され、ネットワーク・リソースの利用効率が高まる。
【００６０】
本発明の１実施形態ではさらに別のリンク障害復旧方法を提供する。図４に示すように、当該方法は以下を含む。
【００６１】
４０１で、セカンダリ基地局が障害報告情報をプライマリ基地局に送信する。その結果、プライマリ基地局が、当該障害報告情報に従って、再構成が必要なＤＲＢの識別子を取得し、再構成が必要なＤＲＢに関するパラメータを再構成する。当該障害報告情報は故障ユーザ機器の識別子である。場合によっては、当該障害報告情報がさらに故障セカンダリ・サービング・セルの識別子または故障無線アクセス・ベアラＥ−ＲＡＢの識別子を含んでもよい。
【００６２】
場合によっては、ステップ４０１の前に、当該方法がさらに、セカンダリ基地局により、プライマリ基地局により送信された障害検出構成メッセージを受信するステップを含んでもよい。当該メッセージが特に、ＲＬＣダウンリンク再送信の最大回数、専用ランダム・アクセス・リソースを割り当てるためのＰＤＣＣＨオーダの再送信の最大回数、ランダム・アクセス要求の受信の最大試行回数、およびアップリンク・データのブロックエラー率（ＢＬＥＲ、Ｂｌｏｃｋ  Ｅｒｒｏｒ  Ｒａｔｅ）またはビットエラー率（ＢＬＥＲ、Ｂｉｔ  Ｅｒｒｏｒ  Ｒａｔｅ）の閾値のうち１つまたは複数を含んでもよい。セカンダリ基地局は、当該障害検出構成メッセージに従って、故障ユーザ機器の識別子、および故障セカンダリ・サービング・セルの識別子または故障Ｅ−ＲＡＢの識別子を決定する。
【００６３】
特に、セカンダリ基地局により運搬されるＤＲＢに関してＲＬＣダウンリンク再送信の最大回数に到達したとき、またはアップリンク・データのＢＬＥＲもしくはＢＥＲの閾値に到達したときとき、当該ＤＲＢが属するユーザ機器の識別子が故障ユーザ機器の識別子であるとセカンダリ基地局が判定し、当該ＤＲＢを運搬するセカンダリ・サービング・セルの識別子が故障セカンダリ・サービング・セルの識別子であるとセカンダリ基地局が判定するか、または、当該ＤＲＢに対応するＥ−ＲＡＢの識別子が故障Ｅ−ＲＡＢの識別子であるとセカンダリ基地局が判定する。専用ランダム・アクセス・リソースを割り当てるために使用されセカンダリ基地局がユーザ機器に送信したＰＤＣＣＨオーダに対する再送信の最大回数に到達したとき、または、ユーザ機器が送信したランダム・アクセス要求の受信の最大試行回数に到達したとき、セカンダリ基地局が、ユーザ機器の識別子が故障ユーザ機器の識別子であると判定し、セカンダリ基地局が、当該ＰＤＣＣＨオーダを送信したかまたは当該ランダム・アクセス要求を受信したセカンダリ・サービング・セルの識別子が故障セカンダリ・サービング・セルの識別子であると判定するか、または、セカンダリ基地局が、故障ユーザ機器と故障セカンダリ・サービング・セルの間の無線リンクで運搬されるＤＲＢに対応するＥ−ＲＡＢの識別子が故障Ｅ−ＲＡＢの識別子であると判定する。
【００６４】
４０２で、場合によっては、セカンダリ基地局が、プライマリ基地局により送信された再構成メッセージを受信する。当該再構成メッセージは故障ユーザ機器の識別子を含む。
【００６５】
場合によっては、当該再構成メッセージがさらに、削除する必要があるセカンダリ・サービング・セルの識別子または削除する必要があるＥ−ＲＡＢの識別子を含んでもよい。
【００６６】
特に、当該障害報告情報が故障ユーザ機器の識別子であるとき、削除する必要があるセカンダリ・サービング・セルの識別子は、当該故障ユーザ機器にサービスを提供するセカンダリ・サービング・セルの識別子であり、削除する必要がある無線アクセス・ベアラＥ−ＲＡＢの識別子は、セカンダリ基地局と故障ユーザ機器の間の無線リンクで運搬されるＤＲＢに対応するＥ−ＲＡＢの識別子である。当該障害報告情報が故障ユーザ機器の識別子および故障セカンダリ・サービング・セルの識別子であるとき、削除する必要があるセカンダリ・サービング・セルの識別子が故障セカンダリ・サービング・セルの識別子であり、削除する必要がある無線アクセス・ベアラＥ−ＲＡＢの識別子は、故障ユーザ機器と故障セカンダリ・サービング・セルの間の無線リンクで運搬されるＤＲＢに対応するＥ−ＲＡＢの識別子である。当該障害報告情報が故障ユーザ機器の識別子および故障無線アクセス・ベアラＥ−ＲＡＢの識別子であるとき、削除する必要があるセカンダリ・サービング・セルの識別子は、故障無線アクセス・ベアラＥ−ＲＡＢを運搬するセカンダリ・サービング・セルの識別子であり、削除する必要がある無線アクセス・ベアラＥ−ＲＡＢの識別子は故障無線アクセス・ベアラＥ−ＲＡＢの識別子である。
【００６７】
４０３で、場合によっては、セカンダリ基地局が、当該再構成メッセージに従って、故障ユーザ機器にサービス提供するリソースを解放する。
【００６８】
場合によっては、セカンダリ基地局が、故障ユーザ機器の識別子と削除する必要があるセカンダリ・サービング・セルの識別子に従って、削除する必要があり故障ユーザ機器にサービス提供するセカンダリ・サービング・セルを解放してもよく、または、セカンダリ基地局が、故障ユーザ機器の識別子と削除する必要がある無線アクセス・ベアラＥ−ＲＡＢの識別子とに従って、削除する必要があるＥ−ＲＡＢを解放してもよい。
【００６９】
当該実施形態で提供するさらに別のリンク障害復旧方法では、ユーザ機器とプライマリ基地局の間の信号送信無線ベアラを再確立する必要はなく、ユーザ機器とプライマリ基地局の間のセキュリティを再びアクティベートする必要はなく、ユーザ機器とプライマリ基地局の間の不要な情報のやり取りが回避され、ネットワーク・リソースの利用効率が高まる。
【００７０】
本発明の１実施形態ではリンク障害復旧装置を提供する。図５に示すように、当該装置は、受信ユニット５１、取得ユニット５２、構成ユニット５３、および送信ユニット５４を備える。
【００７１】
受信ユニット５１を、ユーザ機器により送信された障害報告情報を受信するように構成してもよい。当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される。
【００７２】
受信ユニット５１を、ユーザ機器により送信された障害原因情報を受信するようにさらに構成してもよい。当該障害原因情報は、ＲＬＣアップリンク再送信の最大回数に達したこと、またはランダム・アクセス・プリアンブル再送信の最大回数に達したこと、またはタイマＴ３１０が切れたことである。
【００７３】
場合によっては、受信ユニット５１がユーザ機器により送信された障害報告情報または障害原因情報を受信する前に、送信ユニット５４がさらに障害検出構成メッセージをユーザ機器に送信してもよい。当該メッセージが特にＲＬＣアップリンク再送信の最大回数、ランダム・アクセス・プリアンブル再送信の最大回数、およびタイマＴ３１０の期間のうち１つまたは複数を含んでもよい。その結果、ユーザ機器が、当該障害検出構成メッセージに従って、故障セカンダリ・サービング・セルの識別子または故障ＤＲＢの識別子または当該障害原因の特定の値情報を決定する。
【００７４】
特に、ユーザ機器とセカンダリ・サービング・セルの間の無線リンクで運搬されるＤＲＢに対してＲＬＣアップリンク再送信の最大回数に達したとき、ユーザ機器が、セカンダリ・サービング・セルの識別子が故障セカンダリ・サービング・セルの識別子であると判定するか、または、ユーザ機器が、当該ＤＲＢの識別子が故障ＤＲＢの識別子であると判定する。ランダム・アクセス・プリアンブル再送信の最大回数に到達したとき、または、ユーザ機器に対するセカンダリ・サービング・セルでタイマＴ３１０の当該期間に達したとき、ユーザ機器が、セカンダリ・サービング・セルの識別子が故障セカンダリ・サービング・セルの識別子であると判定するか、または、ユーザ機器が、ユーザ機器とセカンダリ・サービング・セルの間の無線リンクで運搬されるＤＲＢの識別子が故障ＤＲＢの識別子であると判定する。
【００７５】
取得ユニット５２を、当該障害報告情報に従って、再構成が必要なＤＲＢの識別子を取得するように構成してもよい。
【００７６】
特に、当該障害報告情報が故障セカンダリ・サービング・セルの識別子であるとき、取得ユニット５２により取得され再構成が必要なＤＲＢのものである識別子は、故障セカンダリ・サービング・セルとユーザ機器の間の無線リンクで運搬されるＤＲＢの識別子である。当該障害報告情報が故障ＤＲＢの識別子であるとき、取得ユニット５２により取得され再構成が必要なＤＲＢのものである識別子は故障ＤＲＢの識別子である。
【００７７】
取得ユニット５２を、当該障害報告情報に従って、削除する必要があるセカンダリ・サービング・セルの識別子または削除する必要がある無線アクセス・ベアラＥ−ＲＡＢの識別子を取得するようにさらに構成してもよい。当該Ｅ−ＲＡＢは当該ＤＲＢと１対１に対応する。
【００７８】
特に、当該障害報告情報が故障セカンダリ・サービング・セルの識別子であるとき、取得ユニット５２により取得され削除する必要があるセカンダリ・サービング・セルのものである識別子が故障セカンダリ・サービング・セルの識別子であり、削除する必要がある無線アクセス・ベアラＥ−ＲＡＢの取得された識別子は、故障セカンダリ・サービング・セルとユーザ機器の間の無線リンクで運搬されるＤＲＢに対応するＥ−ＲＡＢの識別子である。当該障害報告情報が故障無線データ・ベアラＤＲＢの識別子であるとき、取得ユニット５２により取得され削除する必要があるセカンダリ・サービング・セルのものである識別子は故障ＤＲＢを運搬するセカンダリ・サービング・セルの識別子であり、削除する必要がある無線アクセス・ベアラＥ−ＲＡＢの取得された識別子は故障ＤＲＢに対応するＥ−ＲＡＢの識別子である。
【００７９】
構成ユニット５３を、再構成が必要なＤＲＢに関するパラメータを再構成するように構成してもよい。
【００８０】
構成ユニット５３を特に、当該障害原因情報がＲＬＣアップリンク再送信の最大回数に達したことであるとき、当該ＤＲＢに対するＲＬＣアップリンク再送信の最大回数を再構成するように構成してもよい。
【００８１】
構成ユニット５３を特に、当該障害原因情報がランダム・アクセス・プリアンブル再送信の最大回数に達したことであるとき、当該ＤＲＢに対するプリアンブル送信の最大数を再構成するようにさらに構成してもよい。
【００８２】
構成ユニット５３を特に、当該障害原因情報がタイマＴ３１０が切れたことであるとき、当該ＤＲＢに対するタイマＴ３１０の期間を再構成するようにさらに構成してもよい。
【００８３】
送信ユニット５４を、第１の再構成メッセージをユーザ機器に送信するように構成してもよい。当該第１の再構成メッセージは再構成が必要なＤＲＢの識別子および当該ＤＲＢに対して再構成されたパラメータを含む。その結果、再構成が必要なＤＲＢをユーザ機器が当該第１の再構成メッセージに従って再構成する。
【００８４】
場合によっては、当該第１の再構成メッセージがさらに、削除する必要があるセカンダリ・サービング・セルの識別子に従って、削除する必要があるセカンダリ・サービング・セルをユーザ機器が解放するように、削除する必要があるセカンダリ・サービング・セルの識別子を含んでもよい。
【００８５】
送信ユニット５４を、第２の再構成メッセージをセカンダリ基地局に送信するようにさらに構成してもよい。当該第２の再構成メッセージはユーザ機器の識別子を含む。その結果、ユーザ機器にサービス提供するリソースをセカンダリ基地局がユーザ機器の識別子に従って解放する。
【００８６】
当該第２の再構成メッセージがさらに、当該第２の再構成メッセージに従って、削除する必要があるセカンダリ・サービング・セルまたは削除する必要があるＥ−ＲＡＢをセカンダリ基地局が解放するように、削除する必要があるセカンダリ・サービング・セルの識別子または削除する必要があるＥ−ＲＡＢの識別子を含んでもよい。
【００８７】
当該実施形態で提供するリンク障害復旧装置では、不要な情報のやり取りを回避することができ、ネットワーク・リソースの利用効率を改善することができる。
【００８８】
１実施形態で提供するリンク障害復旧装置の実体が基地局であってもよい。図６に示すように、当該基地局は、プロセッサ６１、入力装置６２、出力装置６３、およびメモリ６４を備える。入力装置６２、出力装置６３、およびメモリ６４はプロセッサ６１に接続される。プロセッサ６１は、受信ユニット６１０１、取得ユニット６１０２、構成ユニット６１０３、および送信ユニット６１０４を備える。
【００８９】
受信ユニット６１０１を、ユーザ機器により送信された障害報告情報を受信するように構成してもよい。当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される。
【００９０】
受信ユニット６１０１を、ユーザ機器により送信された障害原因情報を受信するようにさらに構成してもよい。当該障害原因情報は、ＲＬＣアップリンク再送信の最大回数に達したこと、またはランダム・アクセス・プリアンブル再送信の最大回数に達したこと、またはタイマＴ３１０が切れたことである。
【００９１】
取得ユニット６１０２を、当該障害報告情報に従って、再構成が必要なＤＲＢの識別子を取得するように構成してもよい。
【００９２】
取得ユニット６１０２を、当該障害報告情報に従って、削除する必要があるセカンダリ・サービング・セルの識別子または削除する必要がある無線アクセス・ベアラＥ−ＲＡＢの識別子を取得するようにさらに構成してもよい。当該Ｅ−ＲＡＢは当該ＤＲＢと１対１に対応する。
【００９３】
構成ユニット６１０３を、再構成が必要なＤＲＢに関するパラメータを再構成するように構成してもよい。
【００９４】
構成ユニット６１０３を特に、当該障害原因情報がＲＬＣアップリンク再送信の最大回数に達したことであるとき、当該ＤＲＢに対するＲＬＣアップリンク再送信の最大回数を再構成するように構成してもよい。
【００９５】
構成ユニット６１０３を特に、当該障害原因情報がランダム・アクセス・プリアンブル再送信の最大回数に達したことであるとき、当該ＤＲＢに対するプリアンブル送信の最大数を再構成するようにさらに構成してもよい。
【００９６】
構成ユニット６１０３を特に、当該障害原因情報がタイマＴ３１０が切れたことであるとき、当該ＤＲＢに対するタイマＴ３１０の期間を再構成するようにさらに構成してもよい。
【００９７】
送信ユニット６１０４を、第１の再構成メッセージをユーザ機器に送信するように構成してもよい。当該第１の再構成メッセージは再構成が必要なＤＲＢの識別子および当該ＤＲＢに対して再構成されたパラメータを含む。その結果、再構成が必要なＤＲＢをユーザ機器が当該第１の再構成メッセージに従って再構成する。
【００９８】
場合によっては、当該第１の再構成メッセージがさらに、削除する必要があるセカンダリ・サービング・セルの識別子に従って、削除する必要があるセカンダリ・サービング・セルをユーザ機器が解放するように、削除する必要があるセカンダリ・サービング・セルの識別子を含んでもよい。
【００９９】
送信ユニット６１０４を、第２の再構成メッセージをセカンダリ基地局に送信するようにさらに構成してもよい。当該第２の再構成メッセージはユーザ機器の識別子を含む。その結果、ユーザ機器にサービス提供するリソースをセカンダリ基地局がユーザ機器の識別子に従って解放する。
【０１００】
当該第２の再構成メッセージがさらに、当該第２の再構成メッセージに従って、削除する必要があるセカンダリ・サービング・セルまたは削除する必要があるＥ−ＲＡＢをセカンダリ基地局が解放するように、削除する必要があるセカンダリ・サービング・セルの識別子または削除する必要があるＥ−ＲＡＢの識別子を含んでもよい。
【０１０１】
本発明の１実施形態では別のリンク障害復旧装置を提供する。図７に示すように、当該装置は、受信ユニット７１、取得ユニット７２、構成ユニット７３、および送信ユニット７４を備える。
【０１０２】
受信ユニット７１を、セカンダリ基地局により送信された障害報告情報を受信するように構成してもよい。当該障害報告情報は故障ユーザ機器の識別子を含む。場合によっては、当該障害報告情報はさらに、故障セカンダリ・サービング・セルの識別子または故障無線アクセス・ベアラＥ−ＲＡＢの識別子を含む。
【０１０３】
場合によっては、受信ユニット７１がセカンダリ基地局により送信された当該障害報告情報を受信する前に、送信ユニット６４が、障害検出構成メッセージをセカンダリ基地局に送信してもよい。当該メッセージが特に、ＲＬＣダウンリンク再送信の最大回数、専用ランダム・アクセス・リソースを割り当てるための物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）オーダの再送信の最大回数、ランダム・アクセス要求の受信の最大試行回数、およびアップリンク・データのブロックエラー率（ＢＬＥＲ、Ｂｌｏｃｋ  Ｅｒｒｏｒ  Ｒａｔｅ）またはビットエラー率（ＢＬＥＲ、Ｂｉｔ  Ｅｒｒｏｒ  Ｒａｔｅ）の閾値のうち１つまたは複数を含んでもよい。その結果、セカンダリ基地局は、当該障害検出構成メッセージに従って、故障ユーザ機器の識別子、および故障セカンダリ・サービング・セルの識別子または故障Ｅ−ＲＡＢの識別子を決定する。
【０１０４】
特に、ＲＬＣダウンリンク再送信の最大回数に到達したか、またはセカンダリ基地局により運搬されるＤＲＢに対するアップリンク・データのＢＬＥＲもしくはＢＥＲの閾値に到達したとき、当該ＤＲＢが属するユーザ機器の識別子が故障ユーザ機器の識別子であるとセカンダリ基地局が判定し、当該ＤＲＢを運搬するセカンダリ・サービング・セルの識別子が故障セカンダリ・サービング・セルの識別子であるとセカンダリ基地局が判定するか、または、当該ＤＲＢに対応するＥ−ＲＡＢの識別子が故障Ｅ−ＲＡＢの識別子であるとセカンダリ基地局が判定する。専用ランダム・アクセス・リソースを割り当てるために使用されセカンダリ基地局がユーザ機器に送信したＰＤＣＣＨオーダに対する再送信の最大回数に到達したとき、または、ユーザ機器が送信したランダム・アクセス要求の受信の最大試行回数に到達したとき、セカンダリ基地局が、ユーザ機器の識別子が故障ユーザ機器の識別子であると判定し、セカンダリ基地局が、当該ＰＤＣＣＨオーダを送信したかまたは当該ランダム・アクセス要求を受信したセカンダリ・サービング・セルの識別子が故障セカンダリ・サービング・セルの識別子であると判定するか、または、セカンダリ基地局が、故障ユーザ機器と故障セカンダリ・サービング・セルの間の無線リンクで運搬されるＤＲＢに対応するＥ−ＲＡＢの識別子が故障Ｅ−ＲＡＢの識別子であると判定する。
【０１０５】
取得ユニット７２を、当該障害報告情報に従って、再構成が必要なデータ無線ベアラＤＲＢの識別子を取得し、再構成が必要なＤＲＢに関するパラメータを再構成するように構成してもよい。
【０１０６】
特に、当該障害報告情報が故障ユーザ機器の識別子であるとき、取得ユニット７２により取得され再構成が必要なデータ無線ベアラＤＲＢのものである識別子は、当該故障ユーザ機器とセカンダリ基地局の間の無線リンクで運搬されるＤＲＢの識別子である。当該障害報告情報が故障ユーザ機器の識別子および故障セカンダリ・サービング・セルの識別子であるとき、取得ユニット７２により取得され再構成が必要なデータ無線ベアラＤＲＢのものである識別子は、故障ユーザ機器と故障セカンダリ・サービング・セルの間の無線リンクで運搬されるＤＲＢの識別子である。当該障害報告情報が故障ユーザ機器の識別子および故障無線アクセス・ベアラＥ−ＲＡＢの識別子であるとき、取得ユニット７２により取得され再構成が必要なデータ無線ベアラＤＲＢのものである識別子は、故障無線アクセス・ベアラＥ−ＲＡＢに対応するＤＲＢの識別子である。
【０１０７】
取得ユニット７２を、当該障害報告情報に従って、削除する必要があるセカンダリ・サービング・セルの識別子または削除する必要があるＥ−ＲＡＢの識別子を取得するようにさらに構成してもよい。
【０１０８】
特に、当該障害報告情報が故障ユーザ機器の識別子であるとき、取得ユニット７２により取得され削除する必要があるセカンダリ・サービング・セルのものである識別子は、故障ユーザ機器にサービスを提供するセカンダリ・サービング・セルの識別子であり、削除する必要がある無線アクセス・ベアラＥ−ＲＡＢの識別子は、セカンダリ基地局と故障ユーザ機器の間の無線リンクで運搬されるＤＲＢに対応するＥ−ＲＡＢの識別子である。当該障害報告情報が故障ユーザ機器の識別子および故障セカンダリ・サービング・セルの識別子であるとき、取得ユニット７２により取得され削除する必要があるセカンダリ・サービング・セルのものである識別子が故障セカンダリ・サービング・セルの識別子であり、削除する必要がある無線アクセス・ベアラＥ−ＲＡＢの識別子は、故障ユーザ機器と故障セカンダリ・サービング・セルの間の無線リンクで運搬されるＤＲＢに対応するＥ−ＲＡＢの識別子である。当該障害報告情報が故障ユーザ機器の識別子および故障無線アクセス・ベアラＥ−ＲＡＢの識別子であるとき、取得ユニット６２により取得され削除する必要があるセカンダリ・サービング・セルのものである識別子は、故障無線アクセス・ベアラＥ−ＲＡＢを運搬するセカンダリ・サービング・セルの識別子であり、削除する必要がある無線アクセス・ベアラＥ−ＲＡＢの識別子は故障無線アクセス・ベアラＥ−ＲＡＢの識別子である。構成ユニット７３を、再構成が必要なＤＲＢに関するパラメータを再構成するように構成してもよい。
【０１０９】
送信ユニット７４を、第１の再構成メッセージをユーザ機器に送信するように構成してもよい。当該第１の再構成メッセージは再構成が必要なＤＲＢの識別子および当該ＤＲＢに対して再構成されたパラメータを含む。その結果、再構成が必要なＤＲＢをユーザ機器が当該第１の再構成メッセージに従って再構成する。
【０１１０】
場合によっては、当該第１の再構成メッセージがさらに、削除する必要があるセカンダリ・サービング・セルの識別子に従って、削除する必要があるセカンダリ・サービング・セルをユーザ機器が解放するように、削除する必要があるセカンダリ・サービング・セルの識別子を含んでもよい。
【０１１１】
送信ユニット７４を、第２の再構成メッセージをセカンダリ基地局に送信するようにさらに構成してもよい。当該第２の再構成メッセージは故障ユーザ機器の識別子を含む。その結果、セカンダリ基地局が、当該第２の再構成メッセージに従って、故障ユーザ機器にサービス提供するリソースを解放する。
【０１１２】
場合によっては、当該第２の再構成メッセージがさらに、当該第２の再構成メッセージに従って、削除する必要があるセカンダリ・サービング・セルまたは削除する必要があるＥ−ＲＡＢをセカンダリ基地局が解放するように、削除する必要があるセカンダリ・サービング・セルの識別子または削除する必要があるＥ−ＲＡＢの識別子を含んでもよい。
【０１１３】
当該実施形態で提供する別のリンク障害復旧装置では、不要な情報のやり取りを回避することができ、ネットワーク・リソースの利用効率を改善することができる。
【０１１４】
１実施形態で提供する別のリンク障害復旧装置の実体が基地局であってもよい。図８に示すように、当該基地局が、プロセッサ８１、入力装置８２、出力装置８３、およびメモリ８４を備える。入力装置８２、出力装置８３、およびメモリ８４はプロセッサ８１に接続される。
【０１１５】
プロセッサ８１が、受信ユニット８１０１、取得ユニット８１０２、構成ユニット８１０３、および送信ユニット８１０４を備えてもよい。
【０１１６】
受信ユニット８１０１を、セカンダリ基地局により送信された障害報告情報を受信するように構成してもよい。当該障害報告情報は故障ユーザ機器の識別子を含む。場合によっては、当該障害報告情報はさらに、故障セカンダリ・サービング・セルの識別子または故障無線アクセス・ベアラＥ−ＲＡＢの識別子を含む。
【０１１７】
場合によっては、受信ユニット８１０１がセカンダリ基地局により送信された当該障害報告情報を受信する前に、送信ユニット８１０４が、障害検出構成メッセージをセカンダリ基地局に送信してもよい。当該メッセージが特に、ＲＬＣダウンリンク再送信の最大回数、専用ランダム・アクセス・リソースを割り当てるための物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）オーダの再送信の最大回数、ランダム・アクセス要求の受信の最大試行回数、およびアップリンク・データのブロックエラー率（ＢＬＥＲ、Ｂｌｏｃｋ  Ｅｒｒｏｒ  Ｒａｔｅ）またはビットエラー率（ＢＬＥＲ、Ｂｉｔ  Ｅｒｒｏｒ  Ｒａｔｅ）の閾値のうち１つまたは複数を含んでもよい。その結果、セカンダリ基地局は、当該障害検出構成メッセージに従って、故障ユーザ機器の識別子、および故障セカンダリ・サービング・セルの識別子または故障Ｅ−ＲＡＢの識別子を決定する。
【０１１８】
取得ユニット８１０２を、当該障害報告情報に従って、再構成が必要なデータ無線ベアラＤＲＢの識別子を取得し、再構成が必要なＤＲＢに関するパラメータを再構成するように構成してもよい。
【０１１９】
取得ユニット８１０２を、当該障害報告情報に従って、削除する必要があるセカンダリ・サービング・セルの識別子または削除する必要があるＥ−ＲＡＢの識別子を取得するようにさらに構成してもよい。構成ユニット８１０３を、再構成が必要なＤＲＢに関するパラメータを再構成するように構成してもよい。
【０１２０】
送信ユニット８１０４を、第１の再構成メッセージをユーザ機器に送信するように構成してもよい。当該第１の再構成メッセージは再構成が必要なＤＲＢの識別子および当該ＤＲＢに対して再構成されたパラメータを含む。その結果、再構成が必要なＤＲＢをユーザ機器が当該第１の再構成メッセージに従って再構成する。
【０１２１】
場合によっては、当該第１の再構成メッセージがさらに、削除する必要があるセカンダリ・サービング・セルの識別子に従って、削除する必要があるセカンダリ・サービング・セルをユーザ機器が解放するように、削除する必要があるセカンダリ・サービング・セルの識別子を含んでもよい。
【０１２２】
送信ユニット８１０４を、第２の再構成メッセージをセカンダリ基地局に送信するようにさらに構成してもよい。当該第２の再構成メッセージは故障ユーザ機器の識別子を含む。その結果、セカンダリ基地局が、当該第２の再構成メッセージに従って、故障ユーザ機器にサービス提供するリソースを解放する。
【０１２３】
場合によっては、当該第２の再構成メッセージがさらに、当該第２の再構成メッセージに従って、削除する必要があるセカンダリ・サービング・セルまたは削除する必要があるＥ−ＲＡＢをセカンダリ基地局が解放するように、削除する必要があるセカンダリ・サービング・セルの識別子または削除する必要があるＥ−ＲＡＢの識別子を含んでもよい。
【０１２４】
本発明の１実施形態ではさらに別のリンク障害復旧装置を提供する。図９に示すように、当該装置は、送信ユニット９１、受信ユニット９２、構成ユニット９３、および解放ユニット９４を備える。送信ユニット９１を、障害報告情報をプライマリ基地局に送信するように構成してもよい。
【０１２５】
当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される。その結果、プライマリ基地局が、当該障害報告情報に従って、再構成が必要なＤＲＢの識別子を取得し、再構成が必要なＤＲＢに関するパラメータを再構成する。送信ユニット９１を、障害原因情報をプライマリ基地局に送信するようにさらに構成してもよい。
【０１２６】
当該障害原因は、ＲＬＣアップリンク再送信の最大回数に達したこと、またはランダム・アクセス・プリアンブル再送信の最大回数に達したこと、またはタイマＴ３１０が切れたことである。その結果、プライマリ基地局が、当該障害原因情報に従って、再構成が必要なＤＲＢに関するパラメータを再構成する。
【０１２７】
場合によっては、送信ユニット９１が当該障害報告情報または当該障害原因情報をプライマリ基地局に送信する前に、受信ユニット９２が、プライマリ基地局により送信された障害検出構成メッセージを受信してもよい。当該メッセージが特にＲＬＣアップリンク再送信の最大回数、ランダム・アクセス・プリアンブル再送信の最大回数、およびタイマＴ３１０の期間のうち１つまたは複数を含んでもよい。その結果、ユーザ機器が、当該障害検出構成メッセージに従って、故障セカンダリ・サービング・セルの識別子または故障ＤＲＢの識別子または当該障害原因の特定の値を決定する。
【０１２８】
特に、ユーザ機器とセカンダリ・サービング・セルの間の無線リンクで運搬されるＤＲＢに対してＲＬＣアップリンク再送信の最大回数に達したとき、ユーザ機器が、セカンダリ・サービング・セルの識別子が故障セカンダリ・サービング・セルの識別子であると判定するか、または、ユーザ機器が、当該ＤＲＢの識別子が故障ＤＲＢの識別子であると判定する。ユーザ機器に対するセカンダリ・サービング・セルでランダム・アクセス・プリアンブル再送信の最大回数またはタイマＴ３１０の当該期間に達したとき、ユーザ機器が、セカンダリ・サービング・セルの識別子が故障セカンダリ・サービング・セルの識別子であると判定するか、または、ユーザ機器がユーザ機器とセカンダリ・サービング・セルの間の無線リンクで運搬されるＤＲＢの識別子が故障ＤＲＢの識別子であると判定する。
【０１２９】
受信ユニット９２を、プライマリ基地局により送信された再構成メッセージを受信するように構成してもよい。当該再構成メッセージは、再構成が必要なＤＲＢの識別子および当該ＤＲＢに対して再構成されたパラメータを含む。その結果、ユーザ機器が当該再構成メッセージに従って、再構成が必要なＤＲＢを再構成する。
【０１３０】
特に、当該障害報告情報が故障セカンダリ・サービング・セルの識別子であるとき、再構成が必要なＤＲＢの識別子は、故障セカンダリ・サービング・セルとユーザ機器の間の無線リンクで運搬されるＤＲＢの識別子である。当該障害報告情報が故障ＤＲＢの識別子であるとき、再構成が必要なＤＲＢの識別子は故障ＤＲＢの識別子である。
【０１３１】
構成ユニット９３を、当該再構成メッセージに従って故障ＤＲＢを再構成するように構成してもよい。場合によっては、当該再構成メッセージがさらに、削除する必要があるセカンダリ・サービング・セルの識別子を含んでもよい。
【０１３２】
特に、当該障害報告情報が故障セカンダリ・サービング・セルの識別子であるとき、削除する必要があるセカンダリ・サービング・セルの識別子は故障セカンダリ・サービング・セルの識別子である。当該障害報告情報が故障データ無線ベアラＤＲＢの識別子であるとき、削除する必要があるセカンダリ・サービング・セルの識別子は故障ＤＲＢを運搬するセカンダリ・サービング・セルの識別子である。
【０１３３】
解放ユニット９４を、削除する必要があるセカンダリ・サービング・セルの識別子に従って、削除する必要があるセカンダリ・サービング・セルを解放するように構成してもよい。
【０１３４】
当該実施形態で提供するさらに別のリンク障害復旧装置では、不要な情報のやり取りを回避することができ、ネットワーク・リソースの利用効率を改善することができる。
【０１３５】
１実施形態で提供するさらに別のリンク障害復旧装置の実体がユーザ機器であってもよい。図１０に示すように、ユーザ機器は、プロセッサ１０１、入力装置１０２、出力装置１０３、およびメモリ１０４を備える。入力装置１０２、出力装置１０３、およびメモリ１０４は中央プロセッサ１０１に接続される。プロセッサ１０１が特に、送信ユニット１０１０１、受信ユニット１０１０２、構成ユニット１０１０３、および解放ユニット１０１０４を備えてもよい。
【０１３６】
送信ユニット１０１０１を、障害報告情報をプライマリ基地局に送信するように構成してもよい。当該障害報告情報は故障セカンダリ・サービング・セルの識別子または故障データ無線ベアラＤＲＢの識別子であり、故障セカンダリ・サービング・セルはセカンダリ基地局により制御され、故障ＤＲＢは故障セカンダリ・サービング・セルとユーザ機器の間の無線リンクで運搬される。その結果、プライマリ基地局が、当該障害報告情報に従って、再構成が必要なＤＲＢの識別子を取得し、再構成が必要なＤＲＢに関するパラメータを再構成する。
【０１３７】
送信ユニット１０１０１を、障害原因情報をプライマリ基地局に送信するようにさらに
構成してもよい。当該障害原因は、ＲＬＣアップリンク再送信の最大回数に達したこと、またはランダム・アクセス・プリアンブル再送信の最大回数に達したこと、またはタイマＴ３１０が切れたことである。その結果、プライマリ基地局が、当該障害原因情報に従って、再構成が必要なＤＲＢに関するパラメータを再構成する。
【０１３８】
場合によっては、送信ユニット１０１０１が当該障害報告情報または当該障害原因情報をプライマリ基地局に送信する前に、受信ユニット１０１０２が、プライマリ基地局により送信された障害検出構成メッセージを受信してもよい。当該メッセージが特にＲＬＣアップリンク再送信の最大回数、ランダム・アクセス・プリアンブル再送信の最大回数、およびタイマＴ３１０の期間のうち１つまたは複数を含んでもよい。その結果、ユーザ機器が、当該障害検出構成メッセージに従って、故障セカンダリ・サービング・セルの識別子または故障ＤＲＢの識別子または当該障害原因の特定の値を決定する。
【０１３９】
受信ユニット１０１０２を、プライマリ基地局により送信された再構成メッセージを受信するように構成してもよい。
【０１４０】
当該再構成メッセージは再構成が必要なＤＲＢの識別子および当該ＤＲＢに対して再構成されたパラメータを含む。その結果、ユーザ機器が当該再構成メッセージに従って、再構成が必要なＤＲＢを再構成する。
【０１４１】
特に、当該障害報告情報が故障セカンダリ・サービング・セルの識別子であるとき、再構成が必要なＤＲＢの識別子は、故障セカンダリ・サービング・セルとユーザ機器の間の無線リンクで運搬されるＤＲＢの識別子である。当該障害報告情報が故障ＤＲＢの識別子であるとき、再構成が必要なＤＲＢの識別子は故障ＤＲＢの識別子である。
【０１４２】
構成ユニット１０１０３を、当該再構成メッセージに従って、故障ＤＲＢを再構成するように構成してもよい。場合によっては、当該再構成メッセージがさらに、削除する必要があるセカンダリ・サービング・セルの識別子を含んでもよい。
【０１４３】
特に、当該障害報告情報が故障セカンダリ・サービング・セルの識別子であるとき、削除する必要があるセカンダリ・サービング・セルの識別子は故障セカンダリ・サービング・セルの識別子である。当該障害報告情報が故障データ無線ベアラＤＲＢの識別子であるとき、削除する必要があるセカンダリ・サービング・セルの識別子は故障ＤＲＢを運搬するセカンダリ・サービング・セルの識別子である。
【０１４４】
解放ユニット１０１０４を、削除する必要があるセカンダリ・サービング・セルの識別子に従って、削除する必要があるセカンダリ・サービング・セルを解放するように構成してもよい。
【０１４５】
本発明の１実施形態ではさらに別のリンク障害復旧装置を提供する。図１１に示すように、当該装置のが基地局であってもよい。当該装置は、送信ユニット１１１、受信ユニット１１２、および解放ユニット１１３を備える
【０１４６】
送信ユニット１１１を、プライマリ基地局が障害報告情報に従って、再構成が必要なＤＲＢの識別子を取得し再構成が必要なＤＲＢに関するパラメータを再構成するように、障害報告情報をプライマリ基地局に送信するように構成してもよい。当該障害報告情報は故障ユーザ機器の識別子である。場合によっては、当該障害報告情報がさらに故障セカンダリ・サービング・セルの識別子または故障無線アクセス・ベアラＥ−ＲＡＢの識別子を含んでもよい。
【０１４７】
場合によっては、送信ユニット１１１が当該障害報告情報をプライマリ基地局に送信する前に、受信ユニット１１２が、プライマリ基地局により送信された障害検出構成メッセージを受信してもよい。当該メッセージが特に、ＲＬＣダウンリンク再送信の最大回数、専用ランダム・アクセス・リソースを割り当てるためのＰＤＣＣＨオーダの再送信の最大回数、ランダム・アクセス要求の受信の最大試行回数、およびアップリンク・データのブロックエラー率（ＢＬＥＲ、Ｂｌｏｃｋ  Ｅｒｒｏｒ  Ｒａｔｅ）またはビットエラー率（ＢＬＥＲ、Ｂｉｔ  Ｅｒｒｏｒ  Ｒａｔｅ）の閾値のうち１つまたは複数を含んでもよい。セカンダリ基地局は、当該障害検出構成メッセージに従って、故障ユーザ機器の識別子、および故障セカンダリ・サービング・セルの識別子または故障Ｅ−ＲＡＢの識別子を決定する。
【０１４８】
特に、セカンダリ基地局により運搬されるＤＲＢに関してＲＬＣダウンリンク再送信の最大回数に到達したとき、またはアップリンク・データのＢＬＥＲもしくはＢＥＲの閾値に到達したとき、当該ＤＲＢが属するユーザ機器の識別子が故障ユーザ機器の識別子であるとセカンダリ基地局が判定し、当該ＤＲＢを運搬するセカンダリ・サービング・セルの識別子が故障セカンダリ・サービング・セルの識別子であるとセカンダリ基地局が判定するか、または、当該ＤＲＢに対応するＥ−ＲＡＢの識別子が故障Ｅ−ＲＡＢの識別子であるとセカンダリ基地局が判定する。専用ランダム・アクセス・リソースを割り当てるために使用されセカンダリ基地局がユーザ機器に送信したＰＤＣＣＨオーダに対する再送信の最大回数に到達したとき、または、ユーザ機器が送信したランダム・アクセス要求の受信の最大試行回数に到達したとき、セカンダリ基地局が、ユーザ機器の識別子が故障ユーザ機器の識別子であると判定し、セカンダリ基地局が、当該ＰＤＣＣＨオーダを送信したかまたは当該ランダム・アクセス要求を受信したセカンダリ・サービング・セルの識別子が故障セカンダリ・サービング・セルの識別子であると判定するか、または、セカンダリ基地局が、故障ユーザ機器と故障セカンダリ・サービング・セルの間の無線リンクで運搬されるＤＲＢに対応するＥ−ＲＡＢの識別子が故障Ｅ−ＲＡＢの識別子であると判定する。
【０１４９】
受信ユニット１１２を、プライマリ基地局により送信された再構成メッセージを受信するように構成してもよい。当該再構成メッセージは故障ユーザ機器の識別子を含む。
【０１５０】
解放ユニット１１３を、当該再構成メッセージに従って、故障ユーザ機器にサービス提供するリソースを解放するように構成してもよい。場合によっては、当該再構成メッセージがさらに、削除する必要があるセカンダリ・サービング・セルの識別子または削除する必要があるＥ−ＲＡＢの識別子を含んでもよい。
【０１５１】
特に、当該障害報告情報が故障ユーザ機器の識別子であるとき、削除する必要があるセカンダリ・サービング・セルの識別子は、故障ユーザ機器にサービスを提供するセカンダリ・サービング・セルの識別子であり、削除する必要がある無線アクセス・ベアラＥ−ＲＡＢの識別子は、セカンダリ基地局と故障ユーザ機器の間の無線リンクで運搬されるＤＲＢに対応するＥ−ＲＡＢの識別子である。当該障害報告情報が故障ユーザ機器の識別子および故障セカンダリ・サービング・セルの識別子であるとき、削除する必要があるセカンダリ・サービング・セルの識別子が故障セカンダリ・サービング・セルの識別子であり、削除する必要がある無線アクセス・ベアラＥ−ＲＡＢの識別子は、故障ユーザ機器と故障セカンダリ・サービング・セルの間の無線リンクで運搬されるＤＲＢに対応するＥ−ＲＡＢの識別子である。当該障害報告情報が故障ユーザ機器の識別子および故障無線アクセス・ベアラＥ−ＲＡＢの識別子であるとき、削除する必要があるセカンダリ・サービング・セルの識別子は、故障無線アクセス・ベアラＥ−ＲＡＢを運搬するセカンダリ・サービング・セルの識別子であり、削除する必要がある無線アクセス・ベアラＥ−ＲＡＢの識別子は故障無線アクセス・ベアラＥ−ＲＡＢの識別子である。
【０１５２】
解放ユニット１１３を、故障ユーザ機器の識別子と削除する必要があるセカンダリ・サービング・セルの識別子に従って、削除する必要があり故障ユーザ機器にサービス提供するセカンダリ・サービング・セルを解放するようにさらに構成するか、または、解放ユニット１１３を、故障ユーザ機器の識別子および削除する必要がある無線アクセス・ベアラＥ−ＲＡＢの識別子に従って、削除する必要があるＥ−ＲＡＢを解放するようにさらに構成してもよい。
【０１５３】
当該実施形態で提供するさらに別のリンク障害復旧装置では、不要な情報のやり取りを回避することができ、ネットワーク・リソースの利用効率を改善することができる。
【０１５４】
１実施形態で提供するさらに別のリンク障害復旧装置の実体が基地局であってもよい。図１２に示すように、当該基地局は、プロセッサ１２１、入力装置１２２、出力装置１２３、およびメモリ１２４を備える。入力装置１２２、出力装置１２３、およびメモリ１２４はプロセッサ１２１に接続される。プロセッサ１２１が特に送信ユニット１２１０１、受信ユニット１２１０２、および解放ユニット１２１０３を備えてもよい。
【０１５５】
送信ユニット１２１０１を、プライマリ基地局が障害報告情報に従って、再構成が必要なＤＲＢの識別子を取得し、再構成が必要なＤＲＢに関するパラメータを再構成するように、障害報告情報をプライマリ基地局に送信するように構成してもよい。当該障害報告情報は故障ユーザ機器の識別子である。場合によっては、当該障害報告情報がさらに故障セカンダリ・サービング・セルの識別子または故障無線アクセス・ベアラＥ−ＲＡＢの識別子を含んでもよい。
【０１５６】
場合によっては、送信ユニット１２１０１が当該障害報告情報をプライマリ基地局に送信する前に、受信ユニット１２１０２が、プライマリ基地局により送信された障害検出構成メッセージを受信してもよい。当該メッセージが特に、ＲＬＣダウンリンク再送信の最大回数、専用ランダム・アクセス・リソースを割り当てるためのＰＤＣＣＨオーダの再送信の最大回数、ランダム・アクセス要求の受信の最大試行回数、およびアップリンク・データのブロックエラー率（ＢＬＥＲ、Ｂｌｏｃｋ  Ｅｒｒｏｒ  Ｒａｔｅ）またはビットエラー率（ＢＬＥＲ、Ｂｉｔ  Ｅｒｒｏｒ  Ｒａｔｅ）の閾値のうち１つまたは複数を含んでもよい。セカンダリ基地局は、当該障害検出構成メッセージに従って、故障ユーザ機器の識別子、および故障セカンダリ・サービング・セルの識別子または故障Ｅ−ＲＡＢの識別子を決定する。
【０１５７】
受信ユニット１２１０２を、プライマリ基地局により送信された再構成メッセージを受信するように構成してもよい。当該再構成メッセージは故障ユーザ機器の識別子を含む。
【０１５８】
解放ユニット１２１０３を、当該再構成メッセージに従って、故障ユーザ機器にサービス提供するリソースを解放するように構成してもよい。場合によっては、当該再構成メッセージがさらに、削除する必要があるセカンダリ・サービング・セルの識別子または削除する必要があるＥ−ＲＡＢの識別子を含んでもよい。
【０１５９】
解放ユニット１２１０３を、故障ユーザ機器の識別子と削除する必要があるセカンダリ・サービング・セルの識別子に従って、削除する必要があり故障ユーザ機器にサービス提供するセカンダリ・サービング・セルを解放するようにさらに構成するか、または、解放ユニット１２１０３を、故障ユーザ機器の識別子および削除する必要がある無線アクセス・ベアラＥ−ＲＡＢの識別子に従って、削除する必要があるＥ−ＲＡＢを解放するようにさらに構成してもよい。
【０１６０】
本発明の諸実施形態で提供するリンク障害復旧方法および装置では、プライマリ基地局が先ずユーザ機器により送信された障害報告情報を受信し、当該障害報告情報に従って、再構成が必要なＤＲＢの識別子を取得し、再構成が必要なＤＲＢに関するパラメータを再構成する。次に、プライマリ基地局が第１の再構成メッセージをユーザ機器に送信して、ユーザ機器が当該第１の再構成メッセージに従って故障ＤＲＢを再構成するようにする。現在、ユーザ機器とセカンダリ基地局の間の接続で無線リンク障害が発生したことをユーザ機器が検出したとき、ユーザ機器とプライマリ基地局の間の信号送信無線ベアラが依然として再確立され、ユーザ機器とプライマリ基地局の間のセキュリティが再びアクティベートされる。しかし、この時点でユーザ機器とプライマリ基地局の間に無線リンク障害が生じている可能性は低い。結果として、ユーザ機器とプライマリ基地局の間の不要な情報のやり取りが増え、ネットワーク・リソースが無駄になる。本発明の諸実施形態で提供した方法と装置では、ユーザ機器とプライマリ基地局の間の信号送信無線ベアラを再確立する必要はなく、ユーザ機器とプライマリ基地局の間のセキュリティを再びアクティベートする必要はなく、ユーザ機器とプライマリ基地局の間の不要な情報のやり取りが回避され、ネットワーク・リソースの利用効率が高まる。さらに、本発明の諸実施形態で提供した方法と装置によりプライマリ基地局は障害原因をより正確に特定することができ、それによりリンク障害の復旧がより低コストで実現される。
【０１６１】
本発明の諸実施形態で提供するリンク障害復旧装置が、上で提供した方法の実施形態を実装してもよい。詳細な機能の実装については方法の実施形態の説明を参照されたい。ここでは詳細を再度説明することはしない。本発明の諸実施形態で提供したリンク障害復旧方法および装置を通信システムの分野に適用できるが、それには限られない。
【０１６２】
諸実施形態における方法のプロセスの全部または一部を、関連ハードウェアに指示するコンピュータ・プログラムにより実装してもよいことは当業者には理解される。当該プログラムをコンピュータ可読記憶媒体に格納してもよい。当該プログラムを実行したとき、諸実施形態における方法のプロセスが実施される。当該記憶媒体が、磁気ディスク、光ディスク、読取専用メモリ（Ｒｅａｄ−Ｏｎｌｙ  Ｍｅｍｏｒｙ、ＲＯＭ）、またはランダム・アクセス・メモリ（Ｒａｎｄｏｍ  Ａｃｃｅｓｓ  Ｍｅｍｏｒｙ、ＲＡＭ）を含んでもよい。
【０１６３】
以上の説明は本発明の特定の諸実施形態にすぎず、本発明の保護範囲を限定しようとするものではない。本発明で開示した技術的範囲に入る、当業者に容易に想到される任意の変形または置換えは本発明の保護範囲に入るものとする。したがって、本発明の保護範囲は特許請求の範囲の保護範囲により支配される。
【符号の説明】
【０１６４】
５１  受信ユニット
５２  取得ユニット
５３  構成ユニット
５４  送信ユニット
６２  入力装置
６３  出力装置
６４  メモリ
６１０１  受信ユニット
６１０２  取得ユニット
６１０３  構成ユニット
６１０４  送信ユニット
７１  受信ユニット
７２  取得ユニット
７３  構成ユニット
７４  送信ユニット
８２  入力装置
８３  出力装置
８４  メモリ
８１０１  受信ユニット
８１０２  取得ユニット
８１０３  構成ユニット
８１０４  送信ユニット
９１  送信ユニット
９２  受信ユニット
９３  構成ユニット
９４  解放ユニット
１０２  入力装置
１０３  出力装置
１０４  メモリ
１０１０１  送信ユニット
１０１０２  受信ユニット
１０１０３  構成ユニット
１０１０４  解放ユニット
１１１  送信ユニット
１１２  受信ユニット
１１３  解放ユニット
１２２  入力装置
１２３  出力装置
１２４  メモリ
１２１０１  送信ユニット
１２１０２  受信ユニット
１２１０３  解放ユニット
【図１】
2018011335.tif 000003
【図２】
2018011335.tif 000004
【図３】
2018011335.tif 000005
【図４】
2018011335.tif 000006
【図５】
2018011335.tif 000007
【図６】
2018011335.tif 000008
【図７】
2018011335.tif 000009
【図８】
2018011335.tif 000010
【図９】
2018011335.tif 000011
【図１０】
2018011335.tif 000012
【図１１】
2018011335.tif 000013
【図１２】
2018011335.tif 000014
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
ユーザ機器により、再構成される必要があるデータ無線ベアラ（ＤＲＢ）を決定するステップと、
前記ユーザ機器により、障害報告情報をプライマリ基地局に送信するステップであって、前記障害報告情報は再構成される必要がある前記ＤＲＢの識別子を含む、ステップと、
を含む、リンク障害復旧方法。
【請求項２】
前記ユーザ機器により、障害原因情報を前記プライマリ基地局に送信して、前記プライマリ基地局が、前記障害原因情報に従って、再構成される必要がある前記ＤＲＢのパラメータを再構成するようにするステップであって、前記障害原因情報は、無線リンク制御（ＲＬＣ）アップリンク再送信の最大回数に到達したこと、またはランダム・アクセス・プリアンブル再送信の最大回数に到達したこと、またはタイマが切れたことである、ステップと、
をさらに含む、請求項１に記載のリンク障害復旧方法。
【請求項３】
前記ユーザ機器が前記障害原因情報を前記プライマリ基地局に送信する前に、
前記ユーザ機器により、前記プライマリ基地局により送信された障害検出構成メッセージを受信するステップであって、前記障害検出構成メッセージは、無線リンク制御ＲＬＣアップリンク再送信の最大回数、ランダム・アクセス・プリアンブル再送信の最大回数、および前記タイマの期間のうち少なくとも１つを含む、ステップと、
前記ユーザ機器により、前記障害検出構成メッセージに従って、前記障害原因情報の特定の値を決定するステップと、
をさらに含む、請求項２に記載のリンク障害復旧方法。
【請求項４】
前記障害報告情報は故障セカンダリサービング・セルの識別子または故障ＤＲＢの識別子であり、前記故障セカンダリサービング・セルはセカンダリ基地局により制御され、前記故障ＤＲＢは前記故障セカンダリサービング・セルと前記ユーザ機器の間の無線リンクで運搬される、請求項１に記載のリンク障害復旧方法。
【請求項５】
再構成される必要があるデータ無線ベアラ（ＤＲＢ）を決定するように構成されたプロセッサと、
障害報告情報をプライマリ基地局に送信するように構成された送信ユニットであって、前記障害報告情報は再構成される必要がある前記ＤＲＢの識別子を含む、送信ユニットと、
を備える、ユーザ機器。
【請求項６】
前記送信器はさらに、障害原因情報を前記プライマリ基地局に送信して、前記プライマリ基地局が、前記障害原因情報に従って、再構成される必要がある前記ＤＲＢのパラメータを再構成するように構成され、前記障害原因情報は、無線リンク制御（ＲＬＣ）アップリンク再送信の最大回数に到達したこと、またはランダム・アクセス・プリアンブル再送信の最大回数に到達したこと、またはタイマが切れたことである、請求項５に記載のユーザ機器。
【請求項７】
前記ユーザ機器はさらに受信器を備え、
前記受信器はさらに、前記プライマリ基地局により送信された障害検出構成メッセージを受信するように構成され、前記障害検出構成メッセージは、ＲＬＣアップリンク再送信の最大回数、ランダム・アクセス・プリアンブル再送信の最大回数、および前記タイマの期間のうち少なくとも１つを含み、
前記プロセッサはさらに、前記障害検出構成メッセージに従って、前記障害原因情報の特定の値を決定するように構成される、
請求項６に記載のユーザ機器。
【請求項８】
前記障害報告情報は故障セカンダリサービング・セルの識別子または故障ＤＲＢの識別子であり、前記故障セカンダリサービング・セルはセカンダリ基地局により制御され、前記故障ＤＲＢは前記故障セカンダリサービング・セルとユーザ機器の間の無線リンクで運搬される、請求項５に記載のユーザ機器。
【外国語明細書】
2018011335000001.pdf